(57)【要約】【課題】  陳列棚のスライド棚板位置決め装置の提供。【解決手段】  棚板に接続された一対のスライド部を具え、該スライド部は伸出及び縮入位置を具え且つ固定ケースと少なくとも一つのスライドを具え、該スライドは固定ケースに接続されている。本考案の特徴は、少なくとも一つの弾性係止部品と位置決め部品を具え、弾性係止部品が貫通孔を具え該スライドと固定ケースの間に設置されて固定ケースと接続され、該位置決め部品は固定ケースにあって位置決め面と反対の側面の一端に位置し、該スライド部が伸長位置から縮入位置に戻る時、位置決め部品が弾性面を押圧して弾性面に弾性力を発生させ、該貫通孔と位置決め部品が対向する時、該弾性力の案内により該貫通孔と該位置決め部品を相互に係合させてスライド部を固定することにある。【選択図】        図１
0003109549.tif 000002
【実用新案登録請求の範囲】
【請求項１】
陳列棚のスライド棚板位置決め装置であり、該陳列棚は複数の係止溝を具えた取り付けフレーム、該取り付けフレームの係止溝に取り付けられる一対の受け板を具え、該棚板位置決め装置は棚板と一対のスライド部とを具え、該一対のスライド部が該受け板に接続され、該スライド部は伸出位置と縮入位置を具え且つ固定ケースと少なくとも一つのスライドを具え、該スライドは固定ケースに接続されて固定ケース上でスライド可能であり、該棚板の両側面は固定ケースに接続されている、陳列棚のスライド棚板位置決め装置において、
該陳列棚のスライド棚板位置決め装置は、少なくとも一つの弾性係止部品と、一つの位置決め部品とを具え、
該弾性係止部品は該スライド部と固定ケースの間に設置されて連接面、弾性面、位置決め面を具え、該連接面は長条状板片で構成され且つ固定ケースに接続され、該弾性面は第１夾角を以て該連接面の一端に接続され、弾性力を提供し、該位置決め面は、第２夾角を以て該弾性面の一端に接続されて貫通孔を具え、
該位置決め部品は、該固定ケースにあって該位置決め面に対向する側面の一端に位置し、
該スライド部が伸長位置から縮入位置に戻る時、位置決め部品が弾性面を押圧して弾性面に弾性力を発生させ、該貫通孔と該位置決め部品が対向する時、該弾性力の案内により該貫通孔が該位置決め部品と係合し、スライド部が固定されることを特徴とする、陳列棚のスライド棚板位置決め装置。
【請求項２】
請求項１記載の陳列棚のスライド棚板位置決め装置において、連接面は複数のリベットにより、或いは溶接の方式により、固定ケースに接続されることを特徴とする、陳列棚のスライド棚板位置決め装置。
【請求項３】
請求項１記載の陳列棚のスライド棚板位置決め装置において、第１夾角が第２夾角と等しくされたことを特徴とする、陳列棚のスライド棚板位置決め装置。
【請求項４】
請求項１記載の陳列棚のスライド棚板位置決め装置において、水平に延伸された横向きロッドを更に具え、該横向きロッドの両端が一対の受け板の対向する側面に接続されたことを特徴とする、陳列棚のスライド棚板位置決め装置。
【考案の詳細な説明】
【技術分野】
【０００１】
本考案は陳列棚のスライド棚板位置決め装置に係り、特に、弾性係止部品を利用してスライドを特定位置に固定できるスライド式棚板の位置決め装置に関する。
【背景技術】
【０００２】
伝統的な棚は市場で広く利用され、本棚、或いは調味料棚、更に開放式の衣装棚は、いずれも大型売り場の主力低価格商品となっている。
【０００３】
消費者は価格のほか、棚の材質及び支持力を重要な選択条件としている。
【０００４】
いかに高い付加価値を有する製品を開発するかを業者は研究しており、例えばコンビニエンスストアに設置される飲料用の陳列棚には二種類があり、一種類は密閉式の冷蔵棚であり、アルミ缶、ＰＥＴボトル及びアルミパック等の摩擦力が比較的小さい包装の飲料の設置に供され、また棚板は前が低く後ろが高い傾斜状に設置され、消費者がドアを開けて前端の飲料を取り出すと、後方の飲料が重力により自動的に最前端の位置までスライドして次の客の取り出しに便利とされている。このような冷蔵棚は客が商品を取り出すのに便利であるが、商品を補填する店の者にとっては、新しい飲料を最後端に入れねばならないという不便がある。すなわち、飲料を賞味期限内に販売しなければならず、内層の飲料ほど冷たいため、もし第１列に飲料を補填すると、消費者は永遠に最後の一列の飲料を取り出すことがなく、飲料が賞味期限切れになってしまい、また消費者が冷たい飲料を取り出せず、店に実質的損害を与え、また店の評判を落とすためである。このため冷蔵棚には両面冷蔵庫が使用され、それは斜面の高さを利用し後ろのドアより商品を補填し、消費者が前のドアを開けて飲料を取り出せる。ただし冷蔵庫自体の体積が膨大で、前後の商品取り出しと補填のための空間が必要であり、店舗に高い家賃をとられる都市の業者にしてみれば非常に大きな浪費である。
【０００５】
もう一種類の冷蔵棚は開放式冷蔵棚であり、冷蔵棚に設置される棚板上の飲料は消費者が直接取り出すことができ、棚板の背後より新しい飲料を補充することはできない。
【０００６】
以上をまとめると、伝統的な陳列棚には以下のような欠点がある。
１．現在市販されている商品の陳列棚の棚板の底面前端は、それより下層の棚板を引き出す時、飲料の高さが高過ぎると、上層の棚板底面に設置された支持フレームにぶつかり、下層の棚板上の飲料が倒れる。
２．現在市販されているスライドの設計の面積は過大であり、飲料を挿入するとき、棚板の両側の空間がスライドに阻止され、棚板の左右両側の空間を浪費し、且つ飲料を置き入れることができない。
３．現在市販されている棚の棚板の厚さは一般に厚過ぎ、空間の分配が容易でなく、各棚板を累積後の厚さが相当に大きくなり、空間の浪費を形成する。
４．現在市販されているスライド位置決め構造の設計の多くは位置決め弾性片の設計とされ、位置決め弾性片の形状は手を傷つけやすく、且つ突出しすぎ、使用者が棚板を出し入れする時に位置決め弾性片で怪我をしやすい。
５．周知の位置決め弾性片の設計は、位置決め後にスライドを伸展させるのに一定の力を加えることが必要で、女性の作業員にとっては、相当に不便であり、このほか位置決め弾性片の設計は２片の位置決め弾性片が同時に位置決め不能である問題を発生する。
６．周知の棚板には２節式スライドが使用されているが、このために棚板を完全に引き出すことができず、いわゆる半伸展式とされ、ゆえに棚板後端の部分に商品を置きにくい問題を有効に解決できない。
【考案の開示】
【考案が解決しようとする課題】
【０００７】
本考案の主要な目的は、一種の陳列棚のスライド棚板位置決め装置を提供することにあり、それは、弾性係止部品の弾性力による案内を利用し、スライド部を固定する位置決め装置であるものとする。
【０００８】
本考案の次の目的は、一種の陳列棚のスライド棚板位置決め装置を提供することにあり、それは、弾性係止部品が一体成形部品とされリベット或いは溶接の方式で固定され、製造コストダウンと組付けが容易であるものとする。
【０００９】
本考案の別の目的は、一種の陳列棚のスライド棚板位置決め装置を提供することにあり、それは、スライド部の起動スライド設計により、使用者が棚板を完全に引き出して商品交換の作業を行なうのに便利であるものとする。
【００１０】
本考案のまた別の目的は、一種の陳列棚のスライド棚板位置決め装置を提供することにあり、それは、支持フレーム部により棚板を支持するのに必要な力を提供し、棚板が一定重量の商品を載置できるようにしたものとする。
【００１１】
本考案は一種の陳列棚のスライド棚板位置決め装置を提供し、それは棚板に接続された一対のスライド部を具え、該スライド部は伸出位置と縮入位置を具え且つ固定ケースと少なくとも一つのスライドを具え、該スライドは固定ケースに対してスライド可能である。本考案は、少なくとも一つの位置決め装置を具え、該位置決め装置は弾性係止部品と位置決め部品を具えている。該弾性係止部品は貫通孔を具え該スライドと固定ケースの間に設置されて固定ケースと接続される。該位置決め部品は固定ケースにあって位置決め面と反対の側面の一端に位置する。該スライド部が伸長位置から縮入位置に戻る時、位置決め部品が弾性面を押圧して弾性面に弾性力を発生させ、該貫通孔と位置決め部品が対向する時、該弾性力の案内により該貫通孔と該位置決め部品を相互に係合させてスライド部を固定する。
【課題を解決するための手段】
【００１２】
請求項１の考案は、陳列棚のスライド棚板位置決め装置であり、該陳列棚は複数の係止溝を具えた取り付けフレーム、該取り付けフレームの係止溝に取り付けられる一対の受け板を具え、該棚板位置決め装置は棚板と一対のスライド部とを具え、該一対のスライド部が該受け板に接続され、該スライド部は伸出位置と縮入位置を具え且つ固定ケースと少なくとも一つのスライドを具え、該スライドは固定ケースに接続されて固定ケース上でスライド可能であり、該棚板の両側面は固定ケースに接続されている、陳列棚のスライド棚板位置決め装置において、
該陳列棚のスライド棚板位置決め装置は、少なくとも一つの弾性係止部品と、一つの位置決め部品とを具え、
該弾性係止部品は該スライド部と固定ケースの間に設置されて連接面、弾性面、位置決め面を具え、該連接面は長条状板片で構成され且つ固定ケースに接続され、該弾性面は第１夾角を以て該連接面の一端に接続され、弾性力を提供し、該位置決め面は、第２夾角を以て該弾性面の一端に接続されて貫通孔を具え、
該位置決め部品は、該固定ケースにあって該位置決め面に対向する側面の一端に位置し、
該スライド部が伸長位置から縮入位置に戻る時、位置決め部品が弾性面を押圧して弾性面に弾性力を発生させ、該貫通孔と該位置決め部品が対向する時、該弾性力の案内により該貫通孔が該位置決め部品と係合し、スライド部が固定されることを特徴とする、陳列棚のスライド棚板位置決め装置としている。
請求項２の考案は、請求項１記載の陳列棚のスライド棚板位置決め装置において、連接面は複数のリベットにより、或いは溶接の方式により、固定ケースに接続されることを特徴とする、陳列棚のスライド棚板位置決め装置としている。
請求項３の考案は、請求項１記載の陳列棚のスライド棚板位置決め装置において、第１夾角が第２夾角と等しくされたことを特徴とする、陳列棚のスライド棚板位置決め装置としている。
請求項４の考案は、請求項１記載の陳列棚のスライド棚板位置決め装置において、水平に延伸された横向きロッドを更に具え、該横向きロッドの両端が一対の受け板の対向する側面に接続されたことを特徴とする、陳列棚のスライド棚板位置決め装置としている。
【考案の効果】
【００１３】
本考案は操作が容易で、製造が簡単で取り付けが容易であり、ゆえに業界の要求を満足し、産業上の競争力を高めることができ、従来の陳列棚の問題を解決する。
【考案を実施するための最良の形態】
【００１４】
図１は本考案の陳列棚のスライド棚板位置決め装置の立体分解図である。この陳列棚１は棚板１１、取り付けフレーム１２、一対のスライド部１３（図中の一方のスライド部１３のみ表示）、及び一対の受け板１４（図には一方の受け板１４のみ表示）を具えている。該棚板１１は商品載置機能を具えた矩形板状部品１１１で構成され且つ一対のスライド部１３に接続されている。該取り付けフレーム１２は複数の係止溝１２１を具えている。該スライド部１３は受け板１４に固定され、該受け板１４は内側端の幅が大きい長条状板片で構成され、その内側端に少なくとも二つの位置決め片１４１、１４１ａが設けられて該係止溝１２１と係合し棚板１１の支持に必要な支持力を提供する。該陳列棚１は更に水平に延伸された横向きロッド１５を具え、該横向きロッド１５の両端は一対の受け板（図中には一方の受け板１４のみ表示）の対向する側面に接続されている。
【００１５】
図２は本考案の陳列棚のスライド棚板位置決め装置のスライド部の組合せ表示図である。スライド部１３は固定ケース１３１、第１スライド１３２、第２スライド１３３、弾性係止部品１３４及び複数のリベット１３５ａ、１３５ｂで構成されている。該固定ケース１３１にあって第２スライド１３３に対向する一面の中央に位置決め部品１３１１が設けられている。第１スライド１３２は固定ケース１３１に接続され、且つ固定ケース１３１上でスライド可能とされる。第２スライド１３３は第１スライド１３２と接続され且つ複数の固定孔１３３１ａ、１３３１ｂを具え、該第２スライド１３３は第１スライド１３２上でスライド可能である。該弾性係止部品１３４は固定ケース１３１と第２スライド１３３の間に設置され、該弾性係止部品１３４は複数のリベット１３５ｂで第２スライド１３３に接続されている。
【００１６】
該弾性係止部品１３４の構造をご理解いただくため、図３の本考案の陳列棚のスライド棚板位置決め装置の弾性係止部品の好ましい実施例の立体図を参照されたい。該弾性係止部品１３４は連接面１３４１、弾性面１３４２、及び位置決め面１３４３を具えている。該連接面１３４１は複数の固定孔１３４１ａ、１３４１ｂを具えている。該弾性面１３４２は第１夾角θ１を以て該連接面１３４１の一端に接続され、該位置決め面１３４３は第２夾角θ２を以て該弾性面１３４２の一端に接続され、該位置決め面１３４３は更に貫通孔１３４３ａを具えて該位置決め部品１３１１（図３には表示せず）を収容、通過させる。該位置決め面１３４３の一端より操作面１３４４が延伸されている。本実施例では、該第１夾角θ１は第２夾角θ２と等しく、すなわち該位置決め面１３４３は該連接面１３４１に平行である。本実施例中、該第１夾角θ１は第２夾角θ２と等しいが、第１夾角θ１と第２夾角θ２が等しくない場合も、本考案の範囲に属するものとする。更に図２に示されるように、複数の固定孔１３４１ｂに複数のリベット１３５ｂが通され並びに複数の固定孔１３３１ｂと組み合わされて、弾性係止部品１３４が第２スライド１３３に固定される。該固定孔１３３１ａ及び棚板１１に位置する固定孔１１２が組み合わされて第２スライド１３３が棚板１１に固定される。
【００１７】
図４は本考案の陳列棚のスライド棚板位置決め装置の弾性係止部品の別の実施例の立体図である。この実施例は本考案の精神下にある別の実施方式である。その弾性係止部品１３６は連接面１３６１、弾性面１３６２及び位置決め面１３６３を具えている。該連接面１３６１は少なくとも一つの固定孔１３６１ａと溶接端１３６１ｂを具えている。この少なくとも一つの固定孔１３６１ａはリベット１３５ａ（図示せず）を収容、通過させられ、該リベット１３５ａと該固定孔１３６１ａ及び棚板に設けられた固定孔１１２（図示せず）が組み合わされて、第２スライド１３３が棚板１１（図示せず）に固定される。該弾性係止部品１３６は溶接方式で溶接端１３６１ｂが第２スライド１３３に接続される（図示せず）。該弾性面１３６２は第１夾角θ１を以て連接面１３６１に接続される。該位置決め面１３６３は第２夾角θ２を以て該弾性面１３６２に接続され、該位置決め面１３６３は貫通孔１３６３ａを具え、該位置決め部品１３１１を収容、通過させる。該位置決め面１３６３の一端より操作面１３６４が延伸されている。本実施例中、第１夾角θ１は第２夾角θ２と等しく、位置決め面１３６３は連接面１３６１に平行である。しかし、第１夾角θ１と第２夾角θ２が等しくない場合も、本考案の範囲に属するものとする。
【００１８】
本考案の動作を更に詳しくご理解いただくため、図５の本考案の陳列棚のスライド棚板位置決め装置のスライド部が縮入位置から伸長位置に至る第１伸長状態表示図を参照されたい。スライド部１３が縮入状態の時、該位置決め部品１３１１は貫通孔１３４３ａと係合し、この時、スライド部１３は固定されて移動不能である。図６に示されるように、スライド部１３が移動して伸長状態となる時、作用力９１が該操作面１３４４に作用することで、弾性面１３４２が該作用力９１により、弾性面１３４２と連接面１３４１（図示せず）の接続部分を支点とし、撓み性移動を発生し、貫通孔１３４３ａが位置決め部品１３１１より離脱する。貫通孔１３４３ａが位置決め部品１３１１より離脱する時、伸長方向に沿った引っ張り力９４によりスライド部１３が必要な伸長位置５２に引っ張られる（図７）。
【００１９】
反対に、スライド部を伸長位置５２より縮入位置５１に戻したい時は、図８の本考案の陳列棚のスライド棚板位置決め装置のスライド部の伸長位置から縮入位置への第１縮入状態表示図に示されるように、スライド部１３が伸長位置５２にある時に、推力９３により、スライド部１３を縮入方向に沿ってスライドさせる。図９に示されるように、弾性面１３４２と位置決め部品１３１１が接触する時、該位置決め部品１３１１が弾性面１３４２に与える力により弾性面１３４２が弾性面１３４２と連接面１３４１の接続部分を支点として撓み性移動を発生し、弾性エネルギーを蓄積する。位置決め部品１３１１と貫通孔１３４３ａが対向する時、弾性面１３４２は弾性エネルギーが発生する弾性回復力９２により位置決め部品１３１１と貫通孔１３４３ａを係合させ、これによりスライド部１３が固定されて縮入位置５１に回復する（図１０）。
【００２０】
以上は本考案の好ましい実施例にすぎず、本考案の範囲を限定するものではなく、本考案の実用新案登録請求の範囲の記載に基づきなしうる細部の修飾或いは改変であって、本考案の精神と範囲より逸脱しないものは、いずれも本考案の更なる実施情況と見なす。
【００２１】
総合すると、本考案は操作が容易で、製造が簡単で取り付けが容易であり、ゆえに業界の要求を満足し、産業上の競争力を高めることができる。
【図面の簡単な説明】
【００２２】
【図１】本考案の陳列棚のスライド棚板位置決め装置の立体分解図である。
【図２】本考案の陳列棚のスライド棚板位置決め装置のスライド部の組合せ表示図である。
【図３】本考案の陳列棚のスライド棚板位置決め装置の弾性係止部品の好ましい実施例の立体図である。
【図４】本考案の陳列棚のスライド棚板位置決め装置の弾性係止部品の別の実施例の立体図である。
【図５】本考案の陳列棚のスライド棚板位置決め装置のスライド部が縮入位置から伸長位置に至る第１伸長状態表示図である。
【図６】本考案の陳列棚のスライド棚板位置決め装置のスライド部が縮入位置から伸長位置に至る第２伸長状態表示図である。
【図７】本考案の陳列棚のスライド棚板位置決め装置のスライド部が縮入位置から伸長位置に至る第３伸長状態表示図である。
【図８】本考案の陳列棚のスライド棚板位置決め装置のスライド部の伸長位置から縮入位置への第１縮入状態表示図である。
【図９】本考案の陳列棚のスライド棚板位置決め装置の弾性係止部品の回復力側面表示図である。
【図１０】本考案の陳列棚のスライド棚板位置決め装置のスライド部の伸長位置から縮入位置への第２縮入状態表示図である。
【符号の説明】
【００２３】
１  陳列棚
１１  棚板
１１１  矩形板状部品
１１２  固定孔
１２  取り付け板
１２１  係止溝
１３  スライド部
１３１  固定ケース
１３１１  位置決め部品
１３２  第１スライド
１３３  第２スライド
１３３１ａ、１３３１ｂ  固定孔
１３４  弾性係止部品
１３４１  連接面
１３４１ａ  固定孔
１３４１ｂ  固定孔
１３４２  弾性面
１３４３  位置決め面
１３４４  操作面
１３５ａ、１３５ｂ  リベット
１３６  弾性係止部品
１３６１  連接面
１３６１ａ  固定孔
１３６１ｂ  溶接端
１３６２  弾性面
１３６３  位置決め面
１３６３ａ  貫通孔
１３６４  操作面
１４  受け板
１４１、１４１ａ  係止片
１５  横向きロッド
θ１  第１夾角
θ２  第２夾角
５１  縮入位置
５２  伸長位置
９１  作用力
９２  弾性回復力
９３  推力
９４  引っ張り力
【図１】
0003109549.tif 000003
【図２】
0003109549.tif 000004
【図３】
0003109549.tif 000005
【図４】
0003109549.tif 000006
【図５】
0003109549.tif 000007
【図６】
0003109549.tif 000008
【図７】
0003109549.tif 000009
【図８】
0003109549.tif 000010
【図９】
0003109549.tif 000011
【図１０】
0003109549.tif 000012